【事件の表示】
　平成　５年特許願第３４０３６９号「電子楽器の自動伴奏装置」拒絶査定に対する審判事件［平成　７年　６月２３日出願公開、特開平　７−１６０２５５］について、次のとおり審決する。
【結　論】
　本件審判の請求は、成り立たない。
【理　由】
１　手続きの経緯・本願発明
　本願は、平成５年１２月９日の出願であって、その発明（以下「本願発明」という。）は、平成１２年９月２７日付けの手続補正書により補正された明細書及び図面の記載からみて、その特許請求の範囲（請求項の数６）に記載された次のとおりのものである。
　「【請求項１】　コードネームと時間情報とからなるコード進行データを記憶手段より読み出して自動伴奏を行う電子楽器の自動伴奏装置において、
自動コード進行モードと手動コード進行モードとを切り換える切換手段と、
前記切換手段に設定されている演奏モードを判定する判定手段と、
前記判定手段の判定結果が手動コード進行モードであるとき、演奏者がコードチェンジのタイミングを指定するために操作するコード進行指示を受けて、前記記憶されたコード進行データの中からポインタの示すコードネームを読み取ると共に、併せて記憶されている時間情報を無視して該ポインタを次のコードネームに移動させる読取手段と、
前記読取手段の読み取ったコードネームに基づき楽音信号を生成する楽音発生手段と、
を有することを特徴とする電子楽器の自動伴奏装置。
【請求項２】　前記切換手段はスイッチよりなりパネルに設けられることを特徴とする、請求項１に記載の電子楽器の自動伴奏装置。
【請求項３】　前記切換手段はパネルに設けられるシステムスイッチの一部として組み込まれることを特徴とする、請求項１に記載の電子楽器の自動伴奏装置。
【請求項４】　前記演奏者がコード進行を指示する手段がパネル面上に設けられることを特徴とする、請求項１ないし３のいずれかに記載の電子楽器の自動伴奏装置。
【請求項５】　前記演奏者がコード進行を指示する手段が鍵盤に設けられることを特徴とする、請求項１ないし３のいずれかに記載の電子楽器の自動伴奏装置。
【請求項６】　前記演奏者がコード進行を指示する手段がペダルに設けられることを特徴とする、請求項１ないし３のいずれかに記載の電子楽器の自動伴奏装置。」
　
２．引用例
　これに対して、原査定の拒絶理由に引用された特公平４ー４５９８号公報（平成４年１月２８日公開、以下「引用例」という。）には、名称を「電子楽器」とする発明について、
（１）従来の技術として、「この種の電子楽器では伴奏音としてコードの自動演奏を行うものがある。この場合、従来ではメロデイトとコードの各楽音情報(メロディでは音高、音長等の情報、コードではコードの種類と根音名、コード長等の情報)を別々のメモリに記憶させる」（公報第１頁右欄第１７行〜２２行参照）ことが開示されている。
（２）「９はパワーオフ（ＯＦＦ）、演奏モード（ＰＬＡＹ）、録音モード（ＲＥＣ）などの各コードを指定するためのモード切換スイッチであり」（第４欄第３〜５行参照）と開示されている。（なお、「各コード」は「各モード」の誤記と認められる。）
（３）「楽音発生部２３は、演奏キー群３によるマニュアル演奏や、ワンキーメロディキー７ａ、ワンキーコードキー７ｂによるワンキープレイ時、更に自動演奏時において制御部２２から発音指令情報が与えられ、その楽音を発生する。」（第６欄第５〜９行参照）ことが開示されている。
（４）書き込み動作においては「コード長カウンタ３２は上記キーのオン時間を計数し、またそのオフ時にリセットされてその計時データをバッファ３１のエリア３１Ｂへ与える。」（第９欄第３６行〜３９行参照）及び「以上のキー操作後は次に正確な音長をワンキーメロディキー７ａの操作によって入力する。このためモード切換スイッチ９を記録モードの位置（ＲＥＣ）に設定したまま」と開示されている。
（５）第10図の説明では、「次にワンキーメロディキー７ａをオンしたまま、第１小節の終了時にワンキーコードキー７ｂをオフし、次いで第２小節の開始時にオンすると、３番目のコードＡｍが読み出され、メロディの第１音ミ（Ｅ６）と共に放音される。」（第１４欄第２０〜２５行参照）及び「メロディの変化がなくコードだけが変わる部分においては、同様にワンキーコードキー７ｂを操作することにより完全に演奏を行うことができる。」（第１５欄第３〜６行参照）と開示されている。
　
３．対比
　まず本願発明の請求項１で使用されている用語を引用例記載の発明と対比する。
　「コード進行データ」は、引用例の自動伴奏における楽音情報の内、コードの種類と根音名、コード長の情報に相当する。（前項２．（１）参照）
　「自動コード進行モード」と「手動コード進行モード」を切り替えることは、引用例の演奏モード（ＰＬＡＹ）が自動コード進行モードに相当し、同じく録音モード（ＲＥＣ）が手動進行モードに相当する。
　録音モードが手動進行モードに相当することは、前項２．（３）及び（４）に摘記したように、「ワンキーコードキー７ｂによるワンキープレイ時、キーのオン時間を計数し、その後、正確な音長を入力する。このためモード切換スイッチ９を記録モードの位置（ＲＥＣ）に設定したまま」の記載から明らかである。
　また、本願発明のコード進行データを読み出すことは、前項２．（５）に３番目のコードが読み出される記載があることから、記憶されたコード進行データを読み出していることが把握できる。
　したがって、本願発明の請求項１に係る発明は引用例に記載された発明と次の点で一致する。
＜一致点＞
「コードネームと時間情報とからなるコード進行データを記憶手段より読み出して自動伴奏を行う電子楽器の自動伴奏装置において、自動コード進行モードと手動コード進行モードとを切り換える切換手段と、前記切換手段に設定されている演奏モードを判定する判定手段と、前記判定手段の判定結果が手動コード進行モードであるとき、演奏者がコード進行指示を受けて、前記記憶されたコード進行データの中からポインタの示すコードネームを読み取ると共に、該ポインタを次のコードネームに移動させる読取手段と、前記読取手段の読み取ったコードネームに基づき楽音信号を生成する楽音発生手段と、を有することを特徴とする電子楽器の自動伴奏装置」
　そして、次の点で一応の相違が認められる。
＜相違点＞
「演奏者がコードチェンジのタイミングを指定するために操作することにより、記憶されている時間情報を無視して次のコードを読みとる」
　
４．当審の判断
　本願発明の請求項１に係る発明と引用例との相違点である、コードの時間情報を無視して伴奏処理が行われる点は、上記項目２の（４）に摘記したように、書き込み動作においてコードの時間長が記憶されており、上記項目２の（５）で示したように、第１０図の説明では、コードだけが変わる部分については記憶されている時間情報を無視してワンキーコードキー７ｂの操作により演奏者がコードチェンジのタイミングを指定できるものである。
　この場合、メロディの変化がない部分に限定されているが、メロディが変化する部分も含めワンキーコードキーによりタイミングを指示できるように変更することは、当業者であれば容易に想到できたものと認められる。
　また、請求項２乃至６に係る発明は、切換手段及び指示手段を限定したものであるが、いずれも当業者が適宜実施しうる設計事項にすぎない。
　
５．むすび
　したがって、本願の請求項１〜６に係る発明は、引用例に記載された発明に基づいて当業者が容易に発明をすることができたものであるから特許法第２９条第２項の規定により特許を受けることができない。